(57)【要約】  本発明は、情報伝送方法、装置、及び、システムを開示するとともに、通信分野に関連し、また、装置間技術における不適切な時間−周波数リソース割り当ての問題を解決できる。特定の解決策は以下の通りである。すなわち、ユーザ機器は、ディスカバリ情報を取得し、該ディスカバリ情報に従って要求情報を生成して、要求情報を基地局へ送信するとともに、基地局により送信されるリソース情報を受信して、リソース情報に含まれる有効時間−周波数リソースに従ってディスカバリ情報を他のユーザ機器へ送信する。本発明は、情報伝送のために使用される。
2017517931.tif 000002
【特許請求の範囲】
【請求項１】
装置間技術に適用されるユーザ機器であって、
ディスカバリ情報を取得するように構成される取得ユニットであって、前記ディスカバリ情報は、前記ユーザ機器が装置間の直接的な通信を用いて他のユーザ機器へ送信する必要がある情報である、取得ユニットと、
前記取得ユニットにより取得される前記ディスカバリ情報に従って要求情報を生成するように構成される要求ユニットであって、前記要求情報は、前記ディスカバリ情報を送信するために使用される時間−周波数リソースを前記ユーザ機器に割り当てるように基地局に要求するべく使用される、要求ユニットと、
前記要求ユニットにより生成される前記要求情報を前記基地局へ送信するように構成される送信ユニットと、
前記基地局により送信されるリソース情報を受信するように構成される受信ユニットであって、前記リソース情報が前記有効時間−周波数リソースを含み、前記有効時間−周波数リソースは、前記基地局により前記ユーザ機器に対して割り当てられるとともに前記ディスカバリ情報を送信するために使用される時間−周波数リソースである、受信ユニットと、
を備え、
前記送信ユニットは、前記受信ユニットにより受信される前記有効時間−周波数リソースを使用することにより前記ディスカバリ情報を前記他のユーザ機器へ送信するように更に構成される、ユーザ機器。
【請求項２】
前記要求ユニットは、前記ディスカバリ情報に従って前記ディスカバリ情報の送信周期と前記ディスカバリ情報の送信継続時間とを決定して、前記要求情報を生成するように特に構成され、前記要求情報は、前記ディスカバリ情報の前記送信周期と前記ディスカバリ情報の前記送信継続時間とを備える
請求項1に記載の装置。
【請求項３】
前記リソース情報が事前設定周期と事前設定継続時間とを更に備え、前記事前設定周期及び前記事前設定継続時間は、前記基地局により前記ユーザ機器に対して割り当てられる前記有効時間−周波数リソースにより占められる周期及び継続時間であり、
前記送信ユニットは、前記ディスカバリ情報及び前記ディスカバリ情報の前記時間−周波数リソースを照合するとともに、前記事前設定周期と前記事前設定継続時間とに従って前記ディスカバリ情報を前記他のユーザ機器へ送信するように特に構成される、
請求項2に記載の装置。
【請求項４】
前記送信ユニットは、無線リソース制御RRCメッセージ又はバッファ状態報告BSRメッセージで前記要求情報を運ぶことによって前記要求情報を前記基地局へ送信するように特に構成される
請求項1から3のいずれか一項に記載の装置。
【請求項５】
装置間技術に適用される基地局であって、
ユーザ機器により送信される要求情報を受信するように構成される受信ユニットであって、前記要求情報は、ディスカバリ情報を送信するために使用される時間−周波数リソースを前記ユーザ機器に対して割り当てるように前記基地局へ要求するべく使用され、前記ディスカバリ情報は、前記ユーザ機器が装置間の直接的な通信を用いて他のユーザ機器へ送信する必要がある情報である、受信ユニットと、
前記受信ユニットにより受信される前記要求情報に従って、前記ディスカバリ情報を送信するために使用される前記時間−周波数リソースを前記ユーザ機器に対して割り当てて、リソース情報を生成するように構成される割り当てユニットであって、前記リソース情報は前記有効時間−周波数リソースを備え、前記有効時間−周波数リソースは、前記基地局により前記ユーザ機器に対して割り当てられるとともに前記ディスカバリ情報を送信するために使用される時間−周波数リソースである、割り当てユニットと、
前記割り当てユニットにより生成される前記リソース情報を前記ユーザ機器へ送信するように構成される送信ユニットと、
を備える基地局。
【請求項６】
前記要求情報は、前記ディスカバリ情報の送信周期と、前記ディスカバリ情報の送信継続時間とを備え、
前記割り当てユニットは、前記ディスカバリ情報を送信するために使用される前記時間−周波数リソースを前記要求情報に従って前記ユーザ機器に割り当てて、前記ディスカバリ情報の前記送信周期と前記ディスカバリ情報の前記送信継続時間とに従って事前設定周期と事前設定継続時間とを決定するとともに、前記リソース情報を生成するように特に構成され、前記リソース情報は、前記有効時間−周波数リソース、前記事前設定周期、及び、前記事前設定継続時間を備え、前記有効時間−周波数リソースは、前記基地局により前記ユーザ機器に対して割り当てられるとともに前記ディスカバリ情報を送信するために使用される時間−周波数リソースであり、前記事前設定周期及び前記事前設定継続時間は、前記基地局により前記ユーザ機器に対して割り当てられる前記有効時間−周波数リソースによって占められる周期及び継続時間である
請求項5に記載の装置。
【請求項７】
前記送信ユニットは、前記リソース情報を無線リソース制御RRCメッセージで運ぶことにより前記リソース情報を前記ユーザ機器へ送信する、或いは、前記リソース情報を物理ダウンリンク制御チャネルPDCCHで運ぶことにより前記リソース情報を前記ユーザ機器へ送信するように特に構成される
請求項5又は請求項6に記載の装置。
【請求項８】
プロセッサ、メモリ、送信器、受信器、及び、バスを備える、装置間技術に適用されるユーザ機器であって、前記プロセッサ、前記メモリ、前記送信器、及び、前記受信器が前記バスを使用することにより互いに接続され、
前記プロセッサがディスカバリ情報を取得するように構成され、前記ディスカバリ情報は、前記ユーザ機器が装置間の直接的な通信を用いて他のユーザ機器へ送信する必要がある情報であり、
前記プロセッサは、前記ディスカバリ情報に従って要求情報を生成するように更に構成され、前記要求情報は、前記ディスカバリ情報を送信するために使用される時間−周波数リソースを前記ユーザ機器に割り当てるように基地局に要求するべく使用され、
前記送信器は、前記プロセッサにより生成される前記要求情報を前記基地局へ送信するように構成され、
前記受信器は、前記基地局により送信されるリソース情報を受信するように構成され、前記リソース情報は前記有効時間−周波数リソースを備え、前記有効時間−周波数リソースは、前記基地局により前記ユーザ機器に対して割り当てられるとともに前記ディスカバリ情報を送信するために使用される時間−周波数リソースであり、
前記送信器は、前記受信器により受信される前記有効時間−周波数リソースを使用することによって前記ディスカバリ情報を前記他のユーザ機器へ送信するように更に構成される、
ユーザ機器。
【請求項９】
前記プロセッサは、前記ディスカバリ情報に従って前記ディスカバリ情報の送信周期と前記ディスカバリ情報の送信継続時間とを決定して、前記要求情報を生成するように特に構成され、前記要求情報は、前記ディスカバリ情報の前記送信周期と前記ディスカバリ情報の前記送信継続時間とを備える
請求項8に記載の装置。
【請求項１０】
前記リソース情報が事前設定周期と事前設定継続時間とを更に備え、前記事前設定周期及び前記事前設定継続時間は、前記基地局により前記ユーザ機器に対して割り当てられる前記有効時間−周波数リソースにより占められる周期及び継続時間であり、
前記送信器は、前記ディスカバリ情報及び前記ディスカバリ情報の前記時間−周波数リソースを照合するとともに、前記事前設定周期と前記事前設定継続時間とに従って前記ディスカバリ情報を前記他のユーザ機器へ送信するように特に構成される、
請求項9に記載の装置。
【請求項１１】
前記送信器は、無線リソース制御RRCメッセージ又はバッファ状態報告BSRメッセージで前記要求情報を運ぶことによって前記要求情報を前記基地局へ送信するように特に構成される
請求項8から10のいずれか一項に記載の装置。
【請求項１２】
プロセッサ、メモリ、送信器、受信器、及び、バスを備える、装置間技術に適用される基地局であって、前記プロセッサ、前記メモリ、前記送信器、及び、前記受信器が前記バスを使用することにより互いに接続され、
前記受信器は、ユーザ機器により送信される要求情報を受信するように構成され、前記要求情報は、ディスカバリ情報を送信するために使用される時間−周波数リソースを前記ユーザ機器に対して割り当てるように前記基地局へ要求するべく使用され、前記ディスカバリ情報は、前記ユーザ機器が装置間の直接的な通信を用いて他のユーザ機器へ送信する必要がある情報であり、
前記プロセッサは、前記受信器により受信される前記要求情報に従って前記ディスカバリ情報を送信するために使用される前記時間−周波数リソースを前記ユーザ機器に割り当てて、リソース情報を生成するように構成され、前記リソース情報が前記有効時間−周波数リソースを備え、前記有効時間−周波数リソースは、前記基地局により前記ユーザ機器に対して割り当てられるとともに前記ディスカバリ情報を送信するために使用される時間−周波数リソースであり、
前記送信器は、前記プロセッサにより生成される前記リソース情報を前記ユーザ機器へ送信するように構成される、
基地局。
【請求項１３】
前記要求情報は、前記ディスカバリ情報の送信周期と、前記ディスカバリ情報の送信継続時間とを備え、
前記プロセッサは、前記ディスカバリ情報を送信するために使用される前記時間−周波数リソースを前記要求情報に従って前記ユーザ機器に割り当てて、前記ディスカバリ情報の前記送信周期と前記ディスカバリ情報の前記送信継続時間とに従って事前設定周期と事前設定継続時間とを決定するとともに、前記リソース情報を生成するように特に構成され、前記リソース情報は、前記有効時間−周波数リソース、前記事前設定周期、及び、前記事前設定継続時間を備え、前記有効時間−周波数リソースは、前記基地局により前記ユーザ機器に対して割り当てられるとともに前記ディスカバリ情報を送信するために使用される時間−周波数リソースであり、前記事前設定周期及び前記事前設定継続時間は、前記基地局により前記ユーザ機器に対して割り当てられる前記有効時間−周波数リソースによって占められる周期及び継続時間である
請求項12に記載の装置。
【請求項１４】
前記送信器は、前記リソース情報を無線リソース制御RRCメッセージで運ぶことにより前記リソース情報を前記ユーザ機器へ送信する、或いは、前記リソース情報を物理ダウンリンク制御チャネルPDCCHで運ぶことにより前記リソース情報を前記ユーザ機器へ送信するように特に構成される
請求項12又は請求項13に記載の装置。
【請求項１５】
装置間技術に適用される情報伝送方法であって、
ユーザ機器によりディスカバリ情報を取得するステップであって、前記ディスカバリ情報は、前記ユーザ機器が装置間の直接的な通信を用いて他のユーザ機器へ送信する必要がある情報である、ステップと、
前記ディスカバリ情報に従って前記ユーザ機器により要求情報を生成するステップであって、前記要求情報は、前記ディスカバリ情報を送信するために使用される時間−周波数リソースを前記ユーザ機器に割り当てるように基地局に要求するべく使用される、ステップと、
前記ユーザ機器により前記要求情報を前記基地局へ送信するステップと、
前記基地局により送信されるリソース情報を前記ユーザ機器により受信するステップであって、前記リソース情報が前記有効時間−周波数リソースを備え、前記有効時間−周波数リソースは、前記基地局により前記ユーザ機器に対して割り当てられるとともに前記ディスカバリ情報を送信するために使用される時間−周波数リソースである、ステップと、
前記有効時間−周波数リソースを使用することにより前記ディスカバリ情報を前記ユーザ機器により前記他のユーザ機器へ送信するステップと、
を備える情報伝送方法。
【請求項１６】
前記ディスカバリ情報に従って前記ユーザ機器により要求情報を生成する前記ステップは、
前記ユーザ機器により、前記ディスカバリ情報に従って前記ディスカバリ情報の送信周期と前記ディスカバリ情報の送信継続時間とを決定して、前記要求情報を生成するステップを備え、前記要求情報は、前記ディスカバリ情報の前記送信周期と前記ディスカバリ情報の前記送信継続時間と
を備える請求項15に記載の方法。
【請求項１７】
前記リソース情報が事前設定周期と事前設定継続時間とを更に備え、前記事前設定周期及び前記事前設定継続時間は、前記基地局により前記ユーザ機器に対して割り当てられる前記有効時間−周波数リソースにより占められる周期及び継続時間であり、
前記有効時間−周波数リソースを使用することにより前記ディスカバリ情報を前記ユーザ機器により前記他のユーザ機器へ送信する前記ステップは、
前記ユーザ機器により、前記ディスカバリ情報と前記ディスカバリ情報の前記時間−周波数リソースとの間で照合を行なって、前記事前設定周期と前記事前設定継続時間とに従って前記ディスカバリ情報を前記他のユーザ機器へ送信するステップを備える、
請求項16に記載の方法。
【請求項１８】
前記ユーザ機器により前記要求情報を前記基地局へ送信する前記ステップは、
前記ユーザ機器により、無線リソース制御RRCメッセージ又はバッファ状態報告BSRメッセージで前記要求情報を運ぶことによって前記要求情報を前記基地局へ送信するステップ
を備える請求項15から17のいずれか一項に記載の方法。
【請求項１９】
装置間技術に適用される情報伝送方法であって、
ユーザ機器により送信される要求情報を基地局により受信するステップであって、前記要求情報は、ディスカバリ情報を送信するために使用される時間−周波数リソースを前記ユーザ機器に割り当てるように前記基地局に要求するべく使用され、前記ディスカバリ情報は、前記ユーザ機器が装置間の直接的な通信を用いて他のユーザ機器へ送信する必要がある情報である、ステップと、
前記基地局により、前記要求情報に従って、前記ディスカバリ情報を送信するために使用される前記時間−周波数リソースを前記ユーザ機器に対して割り当てて、リソース情報を生成するステップであって、前記リソース情報が前記有効時間−周波数リソースを備え、前記有効時間−周波数リソースは、前記基地局により前記ユーザ機器に対して割り当てられるとともに前記ディスカバリ情報を送信するために使用される時間−周波数リソースである、ステップと、
前記リソース情報を前記基地局により前記ユーザ機器に送信するステップと、
を備える情報伝送方法。
【請求項２０】
前記要求情報は、前記ディスカバリ情報の送信周期と、前記ディスカバリ情報の送信継続時間とを備え、
前記基地局により、前記要求情報に従って、前記ディスカバリ情報を送信するために使用される前記時間−周波数リソースを前記ユーザ機器に対して割り当てて、リソース情報を生成する前記ステップは、
前記基地局により、前記ディスカバリ情報を送信するために使用される前記時間−周波数リソースを前記要求情報に従って前記ユーザ機器に割り当てて、前記ディスカバリ情報の前記送信周期と前記ディスカバリ情報の前記送信継続時間とに従って事前設定周期と事前設定継続時間とを決定するとともに、前記リソース情報を生成するステップを備え、前記リソース情報は、前記有効時間−周波数リソース、前記事前設定周期、及び、前記事前設定継続時間を備え、前記有効時間−周波数リソースは、前記基地局により前記ユーザ機器に対して割り当てられるとともに前記ディスカバリ情報を送信するために使用される時間−周波数リソースであり、前記事前設定周期及び前記事前設定継続時間は、前記基地局により前記ユーザ機器に対して割り当てられる前記有効時間−周波数リソースによって占められる周期及び継続時間である、
請求項19に記載の方法。
【請求項２１】
前記リソース情報を前記基地局により前記ユーザ機器に送信する前記ステップは、
前記基地局により、前記リソース情報を無線リソース制御RRCメッセージで運ぶことにより前記リソース情報を前記ユーザ機器へ送信する、或いは、前記リソース情報を物理ダウンリンク制御チャネルPDCCHで運ぶことにより前記リソース情報を前記ユーザ機器へ送信するステップ
を備える請求項19又は請求項20に記載の方法。
【請求項２２】
ユーザ機器と基地局とを備える無線通信システムであって、
前記ユーザ機器は、請求項1から4のいずれか一項に記載のユーザ機器であり、かつ、
前記基地局は、請求項5から7のいずれか一項に記載の基地局であり、或いは、
前記ユーザ機器は、請求項8から11のいずれか一項に記載のユーザ機器であり、かつ、
前記基地局は、請求項12から14のいずれか一項に記載の基地局である、
無線通信システム。
【発明の詳細な説明】
【技術分野】
【０００１】
本発明は、通信分野に関し、特に、情報伝送方法、装置、及びシステムに関する。
【背景技術】
【０００２】
ユーザ機器は、D2D（Device to Device、装置間）技術を使用することによってユーザ機器間の移動体通信と直接的な通信とを同時に行なうことができる。現在、ソーシャルネットワークやユーザ短距離データ共有などの用途の進展により、人々は、D2D技術の益々大きな必要性を有し、また、D2D技術の幅広い用途は、無線通信システムのスペクトルリソース不足問題をある程度まで解決できるとともに、セルネットワーク負荷を更に減らすことができる。
【０００３】
しかしながら、従来技術では、情報を送信する際に、ユーザ機器は、情報に対応する時間−周波数リソースセットに耳を傾けて、占められていない時間−周波数リソースを選択する必要があり、それにより、容易に、同じ時間−周波数リソースが複数のユーザ機器によって同時に選択される。その結果、情報を適切に伝送できない。
【発明の概要】
【課題を解決するための手段】
【０００４】
本発明の実施形態は、装置間技術における不適切な時間−周波数リソース割り当ての問題を解決できる、情報伝送方法、装置、及び、システムを提供する。
【０００５】
前述の目的を達成するために、本発明の実施形態においては以下の技術的解決策がとられる。
【０００６】
第1の態様によれば、装置間技術に適用されるユーザ機器であって、
ディスカバリ情報を取得するように構成される取得ユニットであって、ディスカバリ情報は、ユーザ機器が装置間の直接的な通信を用いて他のユーザ機器へ送信する必要がある情報である、取得ユニットと、
取得ユニットにより取得されるディスカバリ情報に従って要求情報を生成するように構成される要求ユニットであって、要求情報は、ディスカバリ情報を送信するために使用される時間−周波数リソースをユーザ機器に割り当てるように基地局に要求するべく使用される、要求ユニットと、
要求ユニットにより生成される要求情報を基地局へ送信するように構成される送信ユニットと、
基地局により送信されるリソース情報を受信するように構成される受信ユニットであって、リソース情報が有効時間−周波数リソースを含み、有効時間−周波数リソースは、基地局によりユーザ機器に対して割り当てられるとともにディスカバリ情報を送信するために使用される時間−周波数リソースである、受信ユニットと、
を含み、
送信ユニットが、受信ユニットにより受信される有効時間−周波数リソースを使用することによりディスカバリ情報を他のユーザ機器へ送信するように更に構成される、
ユーザ機器が提供される。
【０００７】
第1の態様に関連して、第1の想定し得る実施態様において、
要求ユニットは、ディスカバリ情報に従ってディスカバリ情報の送信周期とディスカバリ情報の送信継続時間とを決定して、要求情報を生成するように特に構成され、この場合、要求情報は、ディスカバリ情報の送信周期とディスカバリ情報の送信継続時間とを含む。
【０００８】
第1の態様の第1の想定し得る実施態様に関連して、第2の想定し得る実施態様において、
リソース情報が事前設定周期と事前設定継続時間とを更に備え、この場合、事前設定周期及び事前設定継続時間は、基地局によりユーザ機器に対して割り当てられる有効時間−周波数リソースにより占められる周期及び継続時間であり、
送信ユニットは、ディスカバリ情報及びディスカバリ情報の時間−周波数リソースを照合するとともに、事前設定周期と事前設定継続時間とに従ってディスカバリ情報を他のユーザ機器へ送信するように特に構成される。
【０００９】
第1の態様に関連して或いは第1の態様の第1及び第2の想定し得る実施態様のいずれかに関連して、第3の想定し得る実施態様において、
送信ユニットは、無線リソース制御RRCメッセージ又はバッファ状態報告BSRメッセージで要求情報を運ぶことによって要求情報を基地局へ送信するように特に構成される。
【００１０】
第2の態様によれば、装置間技術に適用される基地局であって、
ユーザ機器により送信される要求情報を受信するように構成される受信ユニットであって、要求情報は、ディスカバリ情報を送信するために使用される時間−周波数リソースをユーザ機器に対して割り当てるように基地局へ要求するべく使用され、ディスカバリ情報は、ユーザ機器が装置間の直接的な通信を用いて他のユーザ機器へ送信する必要がある情報である、受信ユニットと、
受信ユニットにより受信される要求情報に従って、ディスカバリ情報を送信するために使用される時間−周波数リソースをユーザ機器に対して割り当てて、リソース情報を生成するように構成される割り当てユニットであって、リソース情報は有効時間−周波数リソースを備え、有効時間−周波数リソースは、基地局によりユーザ機器に対して割り当てられるとともにディスカバリ情報を送信するために使用される時間−周波数リソースである、割り当てユニットと、
割り当てユニットにより生成されるリソース情報をユーザ機器へ送信するように構成される送信ユニットと、
を含む基地局が提供される。
【００１１】
第2の態様に関連して、第1の想定し得る実施態様において、
要求情報は、ディスカバリ情報の送信周期と、ディスカバリ情報の送信継続時間とを含み、
割り当てユニットは、ディスカバリ情報を送信するために使用される時間−周波数リソースを要求情報に従ってユーザ機器に割り当てて、ディスカバリ情報の送信周期とディスカバリ情報の送信継続時間とに従って事前設定周期と事前設定継続時間とを決定するとともに、リソース情報を生成するように特に構成され、この場合、リソース情報は、有効時間−周波数リソース、事前設定周期、及び、事前設定継続時間を含み、有効時間−周波数リソースは、基地局によりユーザ機器に対して割り当てられるとともにディスカバリ情報を送信するために使用される時間−周波数リソースであり、事前設定周期及び事前設定継続時間は、基地局によりユーザ機器に対して割り当てられる有効時間−周波数リソースによって占められる周期及び継続時間である。
【００１２】
第2の態様又は第2の態様の第1の想定し得る態様に関連して、第2の想定し得る実施態様において、
送信ユニットは、リソース情報を無線リソース制御RRCメッセージで運ぶことによりリソース情報をユーザ機器へ送信する、或いは、リソース情報を物理ダウンリンク制御チャネルPDCCHで運ぶことによりリソース情報をユーザ機器へ送信するように特に構成される。
【００１３】
第3の態様によれば、プロセッサ、メモリ、送信器、受信器、及び、バスを含む、装置間技術に適用されるユーザ機器であって、プロセッサ、メモリ、送信器、及び、受信器がバスを使用することにより互いに接続され、
プロセッサがディスカバリ情報を取得するように構成され、ディスカバリ情報は、ユーザ機器が装置間の直接的な通信を用いて他のユーザ機器へ送信する必要がある情報であり、
プロセッサは、ディスカバリ情報に従って要求情報を生成するように更に構成され、要求情報は、ディスカバリ情報を送信するために使用される時間−周波数リソースをユーザ機器に割り当てるように基地局に要求するべく使用され、
送信器は、プロセッサにより生成される要求情報を基地局へ送信するように構成され、
受信器は、基地局により送信されるリソース情報を受信するように構成され、リソース情報は有効時間−周波数リソースを含み、有効時間−周波数リソースは、基地局によりユーザ機器に対して割り当てられるとともにディスカバリ情報を送信するために使用される時間−周波数リソースであり、
送信器は、受信器により受信される有効時間−周波数リソースを使用することによってディスカバリ情報を他のユーザ機器へ送信するように更に構成される、
ユーザ機器が提供される。
【００１４】
第3の態様に関連して、第1の想定し得る実施態様において、
プロセッサは、ディスカバリ情報に従ってディスカバリ情報の送信周期とディスカバリ情報の送信継続時間とを決定して、要求情報を生成するように特に構成され、この場合、要求情報は、ディスカバリ情報の送信周期とディスカバリ情報の送信継続時間とを含む。
【００１５】
第3の態様の第1の想定し得る実施態様に関連して、第2の想定し得る実施態様において、
リソース情報が事前設定周期と事前設定継続時間とを更に含み、事前設定周期及び事前設定継続時間は、基地局によりユーザ機器に対して割り当てられる有効時間−周波数リソースにより占められる周期及び継続時間であり、
送信器は、ディスカバリ情報及びディスカバリ情報の時間−周波数リソースを照合するとともに、事前設定周期と事前設定継続時間とに従ってディスカバリ情報を他のユーザ機器へ送信するように特に構成される。
【００１６】
第3の態様に関連して或いは第3の態様の第1及び第2の想定し得る実施態様のいずれかに関連して、第3の想定し得る実施態様において、
送信器は、無線リソース制御RRCメッセージ又はバッファ状態報告BSRメッセージで要求情報を運ぶことによって要求情報を基地局へ送信するように特に構成される。
【００１７】
第4の態様において、プロセッサ、メモリ、送信器、受信器、及び、バスを含む、装置間技術に適用される基地局であって、プロセッサ、メモリ、送信器、及び、受信器がバスを使用することにより互いに接続され、
受信器は、ユーザ機器により送信される要求情報を受信するように構成され、要求情報は、ディスカバリ情報を送信するために使用される時間−周波数リソースをユーザ機器に対して割り当てるように基地局へ要求するべく使用され、ディスカバリ情報は、ユーザ機器が装置間の直接的な通信を用いて他のユーザ機器へ送信する必要がある情報であり、
プロセッサは、受信器により受信される要求情報に従ってディスカバリ情報を送信するために使用される時間−周波数リソースをユーザ機器に割り当てて、リソース情報を生成するように構成され、リソース情報が有効時間−周波数リソースを備え、有効時間−周波数リソースは、基地局によりユーザ機器に対して割り当てられるとともにディスカバリ情報を送信するために使用される時間−周波数リソースであり、
送信器は、プロセッサにより生成されるリソース情報をユーザ機器へ送信するように構成される、
基地局が提供される。
【００１８】
第4の態様に関連して、第1の想定し得る実施態様において、
要求情報は、ディスカバリ情報の送信周期と、ディスカバリ情報の送信継続時間とを備え、
プロセッサは、ディスカバリ情報を送信するために使用される時間−周波数リソースを要求情報に従ってユーザ機器に割り当てて、ディスカバリ情報の送信周期とディスカバリ情報の送信継続時間とに従って事前設定周期と事前設定継続時間とを決定するとともに、リソース情報を生成するように特に構成され、この場合、リソース情報は、有効時間−周波数リソース、事前設定周期、及び、事前設定継続時間を含み、有効時間−周波数リソースは、基地局によりユーザ機器に対して割り当てられるとともにディスカバリ情報を送信するために使用される時間−周波数リソースであり、事前設定周期及び事前設定継続時間は、基地局によりユーザ機器に対して割り当てられる有効時間−周波数リソースによって占められる周期及び継続時間である。
【００１９】
第4の態様又は第4の態様の第1の想定し得る実施態様に関連して、第2の想定し得る実施態様において、
送信器は、リソース情報を無線リソース制御RRCメッセージで運ぶことによりリソース情報をユーザ機器へ送信する、或いは、リソース情報を物理ダウンリンク制御チャネルPDCCHで運ぶことによりリソース情報をユーザ機器へ送信するように特に構成される。
【００２０】
第5の態様によれば、装置間技術に適用される情報伝送方法であって、
ユーザ機器によりディスカバリ情報を取得するステップであって、ディスカバリ情報は、ユーザ機器が装置間の直接的な通信を用いて他のユーザ機器へ送信する必要がある情報である、ステップと、
ディスカバリ情報に従ってユーザ機器により要求情報を生成するステップであって、要求情報は、ディスカバリ情報を送信するために使用される時間−周波数リソースをユーザ機器に割り当てるように基地局に要求するべく使用される、ステップと、
ユーザ機器により要求情報を基地局へ送信するステップと、
基地局により送信されるリソース情報をユーザ機器により受信するステップであって、リソース情報が有効時間−周波数リソースを備え、有効時間−周波数リソースは、基地局によりユーザ機器に対して割り当てられるとともにディスカバリ情報を送信するために使用される時間−周波数リソースである、ステップと、
有効時間−周波数リソースを使用することによりディスカバリ情報をユーザ機器により他のユーザ機器へ送信するステップと、
を含む情報伝送方法が提供される。
【００２１】
第5の態様に関連して、第1の想定し得る実施態様において、ディスカバリ情報に従ってユーザ機器により要求情報を生成するステップは、
ユーザ機器により、ディスカバリ情報に従ってディスカバリ情報の送信周期とディスカバリ情報の送信継続時間とを決定して、要求情報を生成するステップを含み、この場合、要求情報は、ディスカバリ情報の送信周期とディスカバリ情報の送信継続時間とを含む。
【００２２】
第5の態様の第1の想定し得る実施態様に関連して、第2の想定し得る実施態様において、
リソース情報が事前設定周期と事前設定継続時間とを更に含み、この場合、事前設定周期及び事前設定継続時間は、基地局によりユーザ機器に対して割り当てられる有効時間−周波数リソースにより占められる周期及び継続時間であり、
有効時間−周波数リソースを使用することによりディスカバリ情報をユーザ機器により他のユーザ機器へ送信するステップは、
ユーザ機器により、ディスカバリ情報とディスカバリ情報の時間−周波数リソースとの間で照合を行なって、事前設定周期と事前設定継続時間とに従ってディスカバリ情報を他のユーザ機器へ送信するステップを含む。
【００２３】
第5の態様に関連して或いは第5の態様の第1及び第2の想定し得る実施態様のいずれかに関連して、第3の想定し得る実施態様において、
ユーザ機器により要求情報を基地局へ送信するステップは、
ユーザ機器により、無線リソース制御RRCメッセージ又はバッファ状態報告BSRメッセージで要求情報を運ぶことによって要求情報を基地局へ送信するステップを含む。
【００２４】
第6の態様によれば、装置間技術に適用される情報伝送方法であって、
ユーザ機器により送信される要求情報を基地局により受信するステップであって、要求情報は、ディスカバリ情報を送信するために使用される時間−周波数リソースをユーザ機器に割り当てるように基地局に要求するべく使用され、ディスカバリ情報は、ユーザ機器が装置間の直接的な通信を用いて他のユーザ機器へ送信する必要がある情報である、ステップと、
基地局により、要求情報に従って、ディスカバリ情報を送信するために使用される時間−周波数リソースをユーザ機器に対して割り当てて、リソース情報を生成するステップであって、リソース情報が有効時間−周波数リソースを備え、有効時間−周波数リソースは、基地局によりユーザ機器に対して割り当てられるとともにディスカバリ情報を送信するために使用される時間−周波数リソースである、ステップと、
リソース情報を基地局によりユーザ機器に送信するステップと、
を含む方法が提供される。
【００２５】
第6の態様に関連して、第1の想定し得る実施態様において、
要求情報は、ディスカバリ情報の送信周期と、ディスカバリ情報の送信継続時間とを含み、
基地局により、要求情報に従って、ディスカバリ情報を送信するために使用される時間−周波数リソースをユーザ機器に対して割り当てて、リソース情報を生成するステップは、
基地局により、ディスカバリ情報を送信するために使用される時間−周波数リソースを要求情報に従ってユーザ機器に割り当てて、ディスカバリ情報の送信周期とディスカバリ情報の送信継続時間とに従って事前設定周期と事前設定継続時間とを決定するとともに、リソース情報を生成するステップを含み、リソース情報は、有効時間−周波数リソース、事前設定周期、及び、事前設定継続時間を含み、有効時間−周波数リソースは、基地局によりユーザ機器に対して割り当てられるとともにディスカバリ情報を送信するために使用される時間−周波数リソースであり、事前設定周期及び事前設定継続時間は、基地局によりユーザ機器に対して割り当てられる有効時間−周波数リソースによって占められる周期及び継続時間である。
【００２６】
第6の態様又は第6の態様の第1の想定し得る実施態様に関連して、第2の想定し得る実施態様において、リソース情報を基地局によりユーザ機器に送信するステップは、
基地局により、リソース情報を無線リソース制御RRCメッセージで運ぶことによりリソース情報をユーザ機器へ送信する、或いは、リソース情報を物理ダウンリンク制御チャネルPDCCHで運ぶことによりリソース情報をユーザ機器へ送信するステップを含む。
【００２７】
第7の態様によれば、ユーザ機器と基地局とを含む無線通信システムが提供され、この場合、
ユーザ機器は、第1の態様又は第1の態様の任意の想定し得る実施態様に記載されるユーザ機器であり、及び、
基地局は、第2の態様又は第2の態様の任意の想定し得る実施態様に記載される基地局であり、或いは、
ユーザ機器は、第3の態様又は第3の態様の任意の想定し得る実施態様に記載されるユーザ機器であり、及び、
基地局は、第4の態様又は第4の態様の任意の想定し得る実施態様に記載される基地局である。
【００２８】
本発明のこの実施形態により提供される情報伝送方法、装置、及び、システムにおいて、時間−周波数リソースを割り当てるように要求するべく使用される要求情報は、ユーザ機器により生成されて基地局へ送信され、基地局は、要求情報に従って有効時間−周波数リソースをユーザ機器に割り当て、その後、ユーザ機器は、割り当てられた有効時間−周波数リソースを使用することによりディスカバリ情報を送信する。基地局は時間−周波数リソースを均一に割り当て、それにより、装置間技術における不適切な時間−周波数リソース割り当ての問題が解決される。
【００２９】
本発明の実施形態における或いは従来技術における技術的解決策を更に明確に説明するために、以下、実施形態を説明するために必要とされる添付図面について簡単に記載する。明らかに、以下の記述における添付図面は、本発明の幾つかの実施形態を単に示すにすぎず、また、当業者は、創作的努力を伴うことなくこれら添付図面から他の図面を更に導き出すことができる。
【図面の簡単な説明】
【００３０】
【図１】本発明の一実施形態に係るユーザ機器の概略的な構造図である。
【図２】本発明の一実施形態に係る基地局の概略的な構造図である。
【図３】本発明の他の実施形態に係るユーザ機器の概略的な構造図である。
【図４】本発明の他の実施形態に係る基地局の概略的な構造図である。
【図５】本発明の一実施形態に係る情報伝送方法の概略的なフローチャートである。
【図６】本発明の一実施形態に係る他の情報伝送方法の概略的なフローチャートである。
【図７】本発明の他の実施形態に係る情報伝送方法の概略的なフローチャートである。
【図８】本発明の一実施形態に係るユーザプレーンプロトコルスタックの概略的な構造図である。
【図９】本発明の一実施形態に係る無線通信システムの概略的な構造図である。
【発明を実施するための形態】
【００３１】
以下は、本発明の実施形態における添付図面に関連して、本発明の実施形態における技術的解決策を明確且つ完全に説明する。明らかに、説明される実施形態は、本発明の実施形態の一部にすぎず、全てではない。創作的努力を伴うことなく本発明の実施形態に基づいて当業者により得られる他の全ての実施形態は、本発明の保護範囲内に含まれるものとする。
【００３２】
本発明の一実施形態は、装置間技術に適用されるユーザ機器を提供する。図1に示されるように、ユーザ機器101は、取得ユニット1011と、要求ユニット1012と、送信ユニット1013と、受信ユニット1014とを含む。
【００３３】
取得ユニット1011は、ディスカバリ情報を取得するように構成され、この場合、ディスカバリ情報は、ユーザ機器が装置間の直接的な通信を用いて他のユーザ機器へ送信する必要がある情報である。
【００３４】
要求ユニット1012は、取得ユニット1011により取得されるディスカバリ情報に従って要求情報を生成するように構成され、この場合、要求情報は、ディスカバリ情報を送信するために使用される時間−周波数リソースをユーザ機器に割り当てるように基地局に要求するべく使用される。
【００３５】
送信ユニット1013は、要求ユニット1012により生成される要求情報を基地局へ送信するように構成される。
【００３６】
受信ユニット1014は、基地局により送信されるリソース情報を受信するように構成され、この場合、リソース情報は有効時間−周波数リソースを含み、また、有効時間−周波数リソースは、基地局によりユーザ機器に対して割り当てられるとともにディスカバリ情報を送信するために使用される時間−周波数リソースである。
【００３７】
送信ユニット1013は、受信ユニット1014により受信される有効時間−周波数リソースを使用することによってディスカバリ情報を他のユーザ機器へ送信するように更に構成される。
【００３８】
本発明のこの実施形態により提供されるユーザ機器は、ディスカバリ情報を取得し、該ディスカバリ情報に従って要求情報を生成して、要求情報を基地局へ送信するとともに、基地局により送信されるリソース情報を受信して、有効時間−周波数リソースを使用することによりディスカバリ情報を他のユーザ機器へ送信する。基地局は時間−周波数リソースを均一に割り当て、それにより、装置間技術における不適切な時間−周波数リソース割り当ての問題が解決される。
【００３９】
随意的に、要求ユニット1012は、ディスカバリ情報に従ってディスカバリ情報の送信周期とディスカバリ情報の送信継続時間とを決定して、要求情報を生成するように特に構成され、この場合、要求情報は、ディスカバリ情報の送信周期とディスカバリ情報の送信継続時間とを含む。
【００４０】
リソース情報は、事前設定周期と、事前設定継続時間とを更に含み、この場合、事前設定周期及び事前設定継続時間は、基地局によりユーザ機器に割り当てられる有効時間−周波数リソースによって占められる周期及び継続時間である。
【００４１】
送信ユニット1013は、ディスカバリ情報及びディスカバリ情報の時間−周波数リソースを照合するとともに、事前設定周期と事前設定継続時間とに従ってディスカバリ情報を他のユーザ機器へ送信するように特に構成される。
【００４２】
随意的に、送信ユニット1013は、無線リソース制御RRCメッセージ又はバッファ状態報告BSRメッセージで要求情報を運ぶことによって要求情報を基地局へ送信するように特に構成される。
【００４３】
本発明のこの実施形態により提供されるユーザ機器は、ディスカバリ情報を取得し、該ディスカバリ情報に従って要求情報を生成して、要求情報を基地局へ送信するとともに、基地局により送信されるリソース情報を受信して、有効時間−周波数リソースを使用することによりディスカバリ情報を他のユーザ機器へ送信する。基地局は時間−周波数リソースを均一に割り当て、それにより、装置間技術における不適切な時間−周波数リソース割り当ての問題が解決される。
【００４４】
本発明の一実施形態は、装置間技術に適用される基地局を提供する。図2に示されるように、基地局201は、受信ユニット2011と、割り当てユニット2012と、送信ユニット2013とを含む。
【００４５】
受信ユニット2011は、ユーザ機器により送信される要求情報を受信するように構成され、この場合、要求情報は、ディスカバリ情報を送信するために使用される時間−周波数リソースをユーザ機器に対して割り当てるように基地局へ要求するべく使用され、また、ディスカバリ情報は、ユーザ機器が装置間の直接的な通信を用いて他のユーザ機器へ送信する必要がある情報である。
【００４６】
割り当てユニット2012は、受信ユニット2011により受信される要求情報に従って、ディスカバリ情報を送信するために使用される時間−周波数リソースをユーザ機器に対して割り当てて、リソース情報を生成するように構成され、この場合、リソース情報は有効時間−周波数リソースを含み、また、有効時間−周波数リソースは、基地局によりユーザ機器に対して割り当てられるとともにディスカバリ情報を送信するために使用される時間−周波数リソースである。
【００４７】
送信ユニット2013は、割り当てユニット2012により生成されるリソース情報をユーザ機器へ送信するように構成される。
【００４８】
本発明のこの実施形態により提供される基地局は、ユーザ機器により送信される要求情報を受信して、該要求情報に従ってディスカバリ情報を送信するために使用される時間−周波数リソースをユーザ機器に割り当てるとともに、リソース情報を生成して、リソース情報をユーザ機器へ送信する。基地局は時間−周波数リソースを均一に割り当て、それにより、装置間技術における不適切な時間−周波数リソース割り当ての問題が解決される。
【００４９】
随意的に、要求情報は、ディスカバリ情報の送信周期とディスカバリ情報の送信継続時間とを含む。
【００５０】
割り当てユニット2012は、ディスカバリ情報を送信するために使用される時間−周波数リソースを要求情報に従ってユーザ機器に割り当てて、ディスカバリ情報の送信周期とディスカバリ情報の送信継続時間とに従って事前設定周期と事前設定継続時間とを決定するとともに、リソース情報を生成するように特に構成され、この場合、リソース情報は、有効時間−周波数リソース、事前設定周期、及び、事前設定継続時間を含み、有効時間−周波数リソースは、基地局によりユーザ機器に対して割り当てられるとともにディスカバリ情報を送信するために使用される時間−周波数リソースであり、また、事前設定周期及び事前設定継続時間は、基地局によりユーザ機器に対して割り当てられる有効時間−周波数リソースによって占められる周期及び継続時間である。
【００５１】
随意的に、送信ユニット2013は、リソース情報を無線リソース制御RRCメッセージで運ぶことによりリソース情報をユーザ機器へ送信する、或いは、リソース情報を物理ダウンリンク制御チャネルPDCCHで運ぶことによりリソース情報をユーザ機器へ送信するように特に構成される。
【００５２】
本発明のこの実施形態により提供される基地局は、ユーザ機器により送信される要求情報を受信して、該要求情報に従ってディスカバリ情報を送信するために使用される時間−周波数リソースをユーザ機器に割り当てるとともに、リソース情報を生成して、リソース情報をユーザ機器へ送信する。基地局は時間−周波数リソースを均一に割り当て、それにより、装置間技術における不適切な時間−周波数リソース割り当ての問題が解決される。
【００５３】
本発明の他の実施形態はユーザ機器301を提供する。図3に示されるように、装置は、組み込まれてもよく、或いは、マイクロコンピュータ、例えば、汎用コンピュータ、特注コンピュータ、或いは、携帯電話端末又はタブレットコンピュータなどの携帯装置である。ユーザ機器301は、少なくとも1つのプロセッサ3011、メモリ3012、送信器3013、受信器3014、及び、バス3015を含み、この場合、少なくとも1つのプロセッサ3011、メモリ3012、送信器3013、及び、受信器3014は、バス3015を使用することによって接続されて相互通信を実施する。
【００５４】
バス3015は、ISA（Industry Standard Architecture、業界標準アーキテクチャ）バス、PCI（Peripheral Component、周辺構成要素相互接続）バス、EISA（Extended Industry Standard Architecture、拡張業界標準アーキテクチャ）バス等であってもよい。バス3015は、アドレスバス、データバス、制御バス等に分類されてもよい。表示を容易にするために、バスは、図3においてたった1つの太い線を使用することによって表されるが、それは、1つのバスだけ又は1つのタイプのバスだけが存在することを示さない。
【００５５】
メモリ3012は、本発明の解決策を実行するアプリケーションプログラムコードに合わせて構成される。本発明の解決策を実行するアプリケーションプログラムコードはメモリに記憶され、また、その実行はプロセッサ3011により制御される。
【００５６】
メモリは、静的な情報及び命令を記憶してもよいリード・オンリー・メモリROM又は他のタイプの静的記憶装置、情報及び命令を記憶してもよいランダム・アクセス・メモリRAM又は他のタイプの動的記憶装置であってもよく、また、更には、予期されるプログラムコードをコマンド形式又はデータ構造形式で担持する或いは記憶するために使用され得るとともにコンピュータによりアクセスされ得るが本明細書中では限定されない電気的消去可能プログラマブル・リード・オンリー・メモリEEPROM、コンパクトディスク・リード・オンリー・メモリCD−ROM、又は、他のコンパクトディスク記憶装置、光ディスク（コンパクトディスク、レーザディスク、光ディスク、デジタル多用途ディスク、ブルーレイディスク等を含む）記憶装置、又は、ディスク記憶媒体、又は他のディスク記憶装置、又は、任意の他の媒体であってもよい。メモリは、バスを使用することによりプロセッサに接続される。
【００５７】
プロセッサ3011は、本発明のこの実施形態を実施するように構成される中央処理ユニット3011（Central Processing Unit、略してCPU）、又は、特定用途向け集積回路（Application Specific Integrated Circuit、略してASIC）、又は、1つ以上の集積回路であってもよい。
【００５８】
プロセッサ3011は、想定し得る実施態様で以下の機能を実施するためにメモリ3012内のプログラムコードを呼び出すように構成される。
【００５９】
プロセッサ3011は、ディスカバリ情報を取得するように構成され、この場合、ディスカバリ情報は、ユーザ機器が装置間の直接的な通信を用いて他のユーザ機器へ送信する必要がある情報である。
【００６０】
プロセッサ3011は、ディスカバリ情報に従って要求情報を生成するように更に構成され、この場合、要求情報は、ディスカバリ情報を送信するために使用される時間−周波数リソースをユーザ機器に割り当てるように基地局に要求するべく使用される。
【００６１】
送信器3013は、プロセッサ3011により生成される要求情報を基地局へ送信するように構成される。
【００６２】
受信器3014は、基地局により送信されるリソース情報を受信するように構成され、この場合、リソース情報は有効時間−周波数リソースを含み、また、有効時間−周波数リソースは、基地局によりユーザ機器に対して割り当てられるとともにディスカバリ情報を送信するために使用される時間−周波数リソースである。
【００６３】
送信器3013は、受信器3014により受信される有効時間−周波数リソースを使用することによってディスカバリ情報を他のユーザ機器へ送信するように更に構成される。
【００６４】
本発明のこの実施形態により提供されるユーザ機器は、ディスカバリ情報を取得し、該ディスカバリ情報に従って要求情報を生成して、要求情報を基地局へ送信するとともに、基地局により送信されるリソース情報を受信して、有効時間−周波数リソースを使用することによりディスカバリ情報を他のユーザ機器へ送信する。基地局は時間−周波数リソースを均一に割り当て、それにより、装置間技術における不適切な時間−周波数リソース割り当ての問題が解決される。
【００６５】
随意的に、プロセッサ3011は、ディスカバリ情報に従ってディスカバリ情報の送信周期とディスカバリ情報の送信継続時間とを決定して、要求情報を生成するように特に構成され、この場合、要求情報は、ディスカバリ情報の送信周期とディスカバリ情報の送信継続時間とを含む。
【００６６】
リソース情報は、事前設定周期と、事前設定継続時間とを更に含み、この場合、事前設定周期及び事前設定継続時間は、基地局によりユーザ機器に割り当てられる有効時間−周波数リソースによって占められる周期及び継続時間である。
【００６７】
送信器3013は、ディスカバリ情報及びディスカバリ情報の時間−周波数リソースを照合するとともに、事前設定周期と事前設定継続時間とに従ってディスカバリ情報を他のユーザ機器へ送信するように特に構成される。
【００６８】
随意的に、送信器3013は、無線リソース制御RRCメッセージ又はバッファ状態報告BSRメッセージで要求情報を運ぶことによって要求情報を基地局へ送信するように特に構成される。
【００６９】
本発明のこの実施形態により提供されるユーザ機器は、ディスカバリ情報を取得し、該ディスカバリ情報に従って要求情報を生成して、要求情報を基地局へ送信するとともに、基地局により送信されるリソース情報を受信して、有効時間−周波数リソースを使用することによりディスカバリ情報を他のユーザ機器へ送信する。基地局は時間−周波数リソースを均一に割り当て、それにより、装置間技術における不適切な時間−周波数リソース割り当ての問題が解決される。
【００７０】
本発明の他の実施形態は基地局401を提供する。図4に示されるように、装置は、組み込まれてもよく、或いは、マイクロコンピュータ、例えば、汎用コンピュータ、特注コンピュータ、或いは、携帯電話端末又はタブレットコンピュータなどの携帯装置である。基地局401は、少なくとも1つのプロセッサ4011、メモリ4012、送信器4013、受信器4014、及び、バス4015を含み、この場合、少なくとも1つのプロセッサ4011、メモリ4012、送信器4013、及び、受信器4014は、バス4015を使用することによって接続されて相互通信を実施する。
【００７１】
バス4015は、ISA（Industry Standard Architecture、業界標準アーキテクチャ）バス、PCI（Peripheral Component、周辺構成要素相互接続）バス、EISA（Extended Industry Standard Architecture、拡張業界標準アーキテクチャ）バス等であってもよい。バス4015は、アドレスバス、データバス、制御バス等に分類されてもよい。表示を容易にするために、バスは、図4においてたった1つの太い線を使用することによって表されるが、それは、1つのバスだけ又は1つのタイプのバスだけが存在することを示さない。
【００７２】
メモリ4012は、本発明の解決策を実行するアプリケーションプログラムコードに合わせて構成される。本発明の解決策を実行するアプリケーションプログラムコードはメモリに記憶され、また、その実行はプロセッサ4011により制御される。
【００７３】
メモリは、静的な情報及び命令を記憶してもよいリード・オンリー・メモリROM又は他のタイプの静的記憶装置、情報及び命令を記憶してもよいランダム・アクセス・メモリRAM又は他のタイプの動的記憶装置であってもよく、また、更には、予期されるプログラムコードをコマンド形式又はデータ構造形式で担持する或いは記憶するために使用され得るとともにコンピュータによりアクセスされ得るが本明細書中では限定されない電気的消去可能プログラマブル・リード・オンリー・メモリEEPROM、コンパクトディスク・リード・オンリー・メモリCD−ROM、又は、他のコンパクトディスク記憶装置、光ディスク（コンパクトディスク、レーザディスク、光ディスク、デジタル多用途ディスク、ブルーレイディスク等を含む）記憶装置、又は、ディスク記憶媒体、又は他のディスク記憶装置、又は、任意の他の媒体であってもよい。メモリは、バスを使用することによりプロセッサに接続される。
【００７４】
プロセッサ4011は、本発明のこの実施形態を実施するように構成される中央処理ユニット4011（Central Processing Unit、略してCPU）、又は、特定用途向け集積回路（Application Specific Integrated Circuit、略してASIC）、又は、1つ以上の集積回路であってもよい。
【００７５】
プロセッサ4011は、想定し得る実施態様で以下の機能を実施するためにメモリ4012内のプログラムコードを呼び出すように構成される。
【００７６】
受信器4014は、ユーザ機器により送信される要求情報を受信するように構成され、この場合、要求情報は、ディスカバリ情報を送信するために使用される時間−周波数リソースをユーザ機器に対して割り当てるように基地局へ要求するべく使用され、また、ディスカバリ情報は、ユーザ機器が装置間の直接的な通信を用いて他のユーザ機器へ送信する必要がある情報である。
【００７７】
プロセッサ4011は、受信器4014により受信される要求情報に従ってディスカバリ情報を送信するために使用される時間−周波数リソースをユーザ機器に割り当てて、リソース情報を生成するように構成され、この場合、リソース情報は有効時間−周波数リソースを含み、また、有効時間−周波数リソースは、基地局によりユーザ機器に対して割り当てられるとともにディスカバリ情報を送信するために使用される時間−周波数リソースである。
【００７８】
送信器4013は、プロセッサ4011により生成されるリソース情報をユーザ機器へ送信するように更に構成される。
【００７９】
本発明のこの実施形態により提供される基地局は、ユーザ機器により送信される要求情報を受信して、該要求情報に従ってディスカバリ情報を送信するために使用される時間−周波数リソースをユーザ機器に割り当てるとともに、リソース情報を生成して、リソース情報をユーザ機器へ送信する。基地局は時間−周波数リソースを均一に割り当て、それにより、装置間技術における不適切な時間−周波数リソース割り当ての問題が解決される。
【００８０】
随意的に、要求情報は、ディスカバリ情報の送信周期とディスカバリ情報の送信継続時間とを含む。
【００８１】
プロセッサ4011は、ディスカバリ情報を送信するために使用される時間−周波数リソースを要求情報に従ってユーザ機器に割り当てて、ディスカバリ情報の送信周期とディスカバリ情報の送信継続時間とに従って事前設定周期と事前設定継続時間とを決定するとともに、リソース情報を生成するように特に構成され、この場合、リソース情報は、有効時間−周波数リソース、事前設定周期、及び、事前設定継続時間を含み、有効時間−周波数リソースは、基地局によりユーザ機器に対して割り当てられるとともにディスカバリ情報を送信するために使用される時間−周波数リソースであり、また、事前設定周期及び事前設定継続時間は、基地局によりユーザ機器に対して割り当てられる有効時間−周波数リソースによって占められる周期及び継続時間である。
【００８２】
随意的に、送信器4013は、リソース情報を無線リソース制御RRCメッセージで運ぶことによりリソース情報をユーザ機器へ送信する、或いは、リソース情報を物理ダウンリンク制御チャネルPDCCHで運ぶことによりリソース情報をユーザ機器へ送信するように特に構成される。
【００８３】
本発明のこの実施形態により提供される基地局は、ユーザ機器により送信される要求情報を受信して、該要求情報に従ってディスカバリ情報を送信するために使用される時間−周波数リソースをユーザ機器に割り当てるとともに、リソース情報を生成して、リソース情報をユーザ機器へ送信する。基地局は時間−周波数リソースを均一に割り当て、それにより、装置間技術における不適切な時間−周波数リソース割り当ての問題が解決される。
【００８４】
本発明の一実施形態は、装置間技術に適用される情報伝送方法を提供する。図5に示すように、この方法は以下のステップを含む。
【００８５】
501．ユーザ機器がディスカバリ情報を取得する。
【００８６】
ディスカバリ情報は、ユーザ機器が装置間の直接的な通信を用いて他のユーザ機器へ送信する必要がある情報である。
【００８７】
502．ユーザ機器は、ディスカバリ情報に従って要求情報を生成する。
【００８８】
要求情報は、ディスカバリ情報を送信するために使用される時間−周波数リソースをユーザ機器に割り当てるように基地局に要求するべく使用される。
【００８９】
随意的に、要求情報は送信周期と送信継続時間とを含み、この場合、送信周期は、ディスカバリ情報を送信する頻度を表し、すなわち、ディスカバリ情報が1つ周期で1回送信され、また、送信継続時間は、送信周期に従ってディスカバリ情報の送信を完了するために費やされる必要がある総時間である。
【００９０】
随意的に、要求情報は、ディスカバリ情報の複数の断片の要求を含んでもよく、また、ディスカバリ情報の各断片は、異なる送信周期及び送信継続時間を有し、或いは、ディスカバリ情報の複数の断片は、同じ送信周期及び同じ送信継続時間を有する。
【００９１】
503．ユーザ機器は、要求情報を基地局へ送信する。
【００９２】
随意的に、ユーザ機器は、RRC（Radio Resource Control、無線リソース制御）メッセージ又はBSR（Buffer Status Report、バッファ状態報告）メッセージで要求情報を運ぶことによって要求情報を基地局へ送信する。
【００９３】
504．ユーザ機器は、基地局により送信されるリソース情報を受信する。
【００９４】
リソース情報は有効時間−周波数リソースを含み、この場合、有効時間−周波数リソースは、基地局によりユーザ機器に対して割り当てられるとともにディスカバリ情報を送信するために使用される時間−周波数リソースである。随意的に、リソース情報は、事前設定周期と、事前設定継続時間とを更に含み、この場合、事前設定周期及び事前設定継続時間は、基地局によりユーザ機器に割り当てられる有効時間−周波数リソースによって占められる周期及び継続時間である。事前設定周期は、有効時間−周波数リソースを使用することによりディスカバリ情報を送信する頻度を表し、すなわち、ディスカバリ情報が1つ周期で1回送信され、また、事前設定継続時間は、有効時間−周波数リソースを使用することにより事前設定周期に従ってディスカバリ情報が送信される時間を表す。例えば、ディスカバリ情報は、送信周期が1秒のときに1秒間に1回送信され、また、送信継続時間が500秒であることは、ディスカバリ情報が500秒にわたって連続的に1秒間に1回送信されることを表す。
【００９５】
505．ユーザ機器は、有効時間−周波数リソースを使用することによりディスカバリ情報を他のユーザ機器へ送信する。
【００９６】
随意的に、ユーザ機器は、ディスカバリ情報と有効時間−周波数リソースとの間で照合を行なって、照合が完了された後にディスカバリ情報を他のユーザ機器へ送信する。
【００９７】
随意的に、要求情報がディスカバリ情報の複数の断片の要求を含むときには2つの照合方法が存在する。すなわち、（1）照合は、ディスカバリ情報の送信周期と事前設定周期との間の対応と、ディスカバリ情報の送信継続時間と事前設定継続時間との間の対応とに従って行なわれる。基地局により送信される事前設定周期及び事前設定継続時間は、要求情報に含まれるディスカバリ情報の送信周期及びディスカバリ情報の送信継続時間に従って生成される。事前設定周期及び事前設定継続時間がそれぞれディスカバリ情報の送信周期及びディスカバリ情報の送信継続時間と同じであれば、有効時間−周波数リソースとディスカバリ情報とが互いに対応すると決定されてもよく、或いは、事前設定周期とディスカバリ情報の送信周期との間の差及び事前設定継続時間とディスカバリ情報の送信継続時間との間の差が最小であるときには、有効時間−周波数リソースとディスカバリ情報とが互いに対応する。
【００９８】
（2）要求情報がディスカバリ情報の複数の断片の要求を含むときには、ディスカバリ情報の各断片に対して識別子が加えられ、また、ディスカバリ情報に割り当てられる有効時間−周波数リソースは、ディスカバリ情報と同じ識別子を有する。このようにして、同じ識別子を有するディスカバリ情報及び有効時間−周波数リソースが互いに対応し、それにより、有効時間−周波数リソースとディスカバリ情報との間の照合が達成される。
【００９９】
随意的に、ユーザ機器は、有効時間−周波数リソースに従って、ディスカバリ情報を送信するために占められる必要がある時間−周波数リソースを決定する。リソース情報は、事前設定周期及び事前設定継続時間を更に含んでもよい。ユーザ機器は、有効時間−周波数リソースを使用することにより、事前設定周期及び事前設定継続時間に従ってディスカバリ情報を送信する。
【０１００】
本発明のこの実施形態により提供される情報伝送方法において、ユーザ機器は、ディスカバリ情報を取得し、該ディスカバリ情報に従って要求情報を生成して、要求情報を基地局へ送信するとともに、基地局により送信されるリソース情報を受信して、有効時間−周波数リソースを使用することによりディスカバリ情報を他のユーザ機器へ送信する。基地局は時間−周波数リソースを均一に割り当て、それにより、装置間技術における不適切な時間−周波数リソース割り当ての問題が解決される。
【０１０１】
本発明の一実施形態は、装置間技術に適用される他の情報伝送方法を提供する。図6に示すように、この方法は以下のステップを含む。
【０１０２】
601．基地局は、ユーザ機器により送信される要求情報を受信する。
【０１０３】
随意的に、要求情報は、ディスカバリ情報の送信周期とディスカバリ情報の送信継続時間とを含み、この場合、ディスカバリ情報は、ユーザ機器が装置間の直接的な通信を用いて他のユーザ機器へ送信する必要がある情報であり、送信周期は、ディスカバリ情報を送信する頻度を表し、すなわち、ディスカバリ情報が1つ周期で1回送信され、また、送信継続時間は、送信周期に従ってディスカバリ情報が送信される時間の長さである。
【０１０４】
602．基地局は、要求情報に従って、ディスカバリ情報を送信するために使用される時間−周波数リソースをユーザ機器に対して割り当てて、リソース情報を生成する。
【０１０５】
リソース情報は有効時間−周波数リソースを含み、この場合、有効時間−周波数リソースは、基地局によりユーザ機器に対して割り当てられるとともにディスカバリ情報を送信するために使用される時間−周波数リソースである。
【０１０６】
好ましくは、基地局は、アイドル時間−周波数リソースにおける有効時間−周波数リソースをユーザ機器に対して割り当てる。随意的に、複数の端末が要求情報を送信すると、基地局は、各端末の要求情報に従って時間−周波数リソースを各端末に対して割り当てて、要求情報における送信周期と送信継続時間とに従って各端末の事前設定周期及び事前設定継続時間を決定するとともに、リソース情報を生成し、この場合、リソース情報は、有効時間−周波数リソース、事前設定周期、及び、事前設定継続時間を含む。
【０１０７】
603．基地局は、リソース情報をユーザ機器に送信する。
【０１０８】
随意的に、基地局は、リソース情報をRRCメッセージで運ぶことによりリソース情報をユーザ機器へ送信する、或いは、リソース情報をPDCCH（Physical Downlink Control Channel、物理ダウンリンク制御チャネル）で運ぶことによりリソース情報をユーザ機器へ送信する。
【０１０９】
本発明のこの実施形態により提供される情報伝送方法において、基地局は、ユーザ機器により送信される要求情報を受信して、該要求情報に従ってディスカバリ情報を送信するために使用される時間−周波数リソースをユーザ機器に割り当てるとともに、リソース情報を生成して、リソース情報をユーザ機器へ送信する。基地局は時間−周波数リソースを均一に割り当て、それにより、装置間技術における不適切な時間−周波数リソース割り当ての問題が解決される。
【０１１０】
図5及び図6に対応する前述の実施形態に基づき、本発明の他の実施形態は、装置間技術に適用される情報伝送方法を提供する。随意的に、方法はLTE（Long Term Evolution、ロング・ターム・エボリューション）システムに対して適用され、この場合、LTEシステムのセルラー構造において、セルラー装置間端末は、LTEシステムのリソースを使用することにより通信を直接的に行なってもよい。図7に示すように、方法は以下のステップを含む。
【０１１１】
701．ユーザ機器がディスカバリ情報を取得する。
【０１１２】
ディスカバリ情報は、装置間の直接的な通信を用いてユーザ機器により送信される必要がある情報である。随意的に、図8に示されるように、ユーザプレーンプロトコルスタック構造から見ると、近接サービス層が加えられ、この場合、近接サービス層は、アプリケーション層とユーザアクセスネットワークとの間のインタフェース層である。ユーザ機器におけるアプリケーションが、メッセージ、すなわち、ディスカバリ情報をセルラー構造内の他の端末へ直接に送信する必要があるときには、ディスカバリ情報が近接サービス層へ送信されてもよく、また、ディスカバリ情報に従って近接サービス層が要求情報を生成してもよい。ここでのユーザ機器は、LTEシステム内のセルラー装置間端末である。
【０１１３】
702．ユーザ機器は、ディスカバリ情報に従って要求情報を生成する。
【０１１４】
要求情報は、ディスカバリ情報の複数の断片の要求を含んでもよい。随意的に、要求情報は、所定量のディスカバリ情報と、ディスカバリ情報の各断片の送信周期及び送信継続時間とを含む。
【０１１５】
703．ユーザ機器は、要求情報を基地局へ送信する。
【０１１６】
随意的に、ユーザ機器のRRC層が近接サービス層の要求情報を受信した後、要求情報は、RRC確立要求で運ばれて、基地局へ送信されてもよく、或いは、要求情報は、ユーザ機器と基地局との間のRRCリンクが確立された後に基地局へ送信されてもよい。
【０１１７】
或いは、随意的に、ユーザ機器と基地局との間のRRCリンクが確立された後、RRCリンクは接続された状態のままであり、また、要求情報がMAC（Media Access Control、媒体アクセス制御）層へ送信される。この場合、要求情報は、BSR（Buffer Status Report、バッファ状態報告）で運ばれて、基地局へ送信されてもよい。
【０１１８】
704．基地局は、ディスカバリ情報を送信するために使用される時間−周波数リソースを要求情報に従ってユーザ機器に割り当てて、リソース情報を生成する。
【０１１９】
リソース情報は有効時間−周波数リソースを含み、この場合、有効時間−周波数リソースは、基地局によりユーザ機器に対して割り当てられるとともにディスカバリ情報を送信するために使用される時間−周波数リソースである。
【０１２０】
随意的に、基地局は、アイドル時間−周波数リソースにおける有効時間−周波数リソースを要求情報におけるディスカバリ情報の各断片に対して割り当てて、ディスカバリ情報の各断片の送信周期とディスカバリ情報の送信継続時間とに従ってディスカバリ情報の各断片の事前設定周期及び事前設定継続時間を決定するとともに、リソース情報を生成し、この場合、リソース情報は、有効時間−周波数リソース、事前設定周期、及び、事前設定継続時間を含む。
【０１２１】
705．基地局は、リソース情報をユーザ機器に送信する。
【０１２２】
706．ユーザ機器は、有効時間−周波数リソースを使用することによりディスカバリ情報を他のユーザ機器へ送信する。
【０１２３】
随意的に、ユーザ機器は、ディスカバリ情報と有効時間−周波数リソースとの間で照合を行なって、照合が完了された後にディスカバリ情報を他のユーザ機器へ送信する。
【０１２４】
随意的に、要求情報がディスカバリ情報の複数の断片の要求を含むときには2つの照合方法が存在する。すなわち、（1）照合は、送信周期と事前設定周期との間の対応と、送信継続時間と事前設定継続時間との間の対応とに従って行なわれる。基地局により送信される事前設定周期及び事前設定継続時間は、要求情報に含まれる送信周期及び送信継続時間に従って生成される。有効時間−周波数リソースの事前設定周期及び事前設定継続時間がそれぞれディスカバリ情報の送信周期及びディスカバリ情報の送信継続時間と同じであれば、有効時間−周波数リソースとディスカバリ情報とが互いに対応すると決定されてもよく、或いは、有効時間−周波数リソースの事前設定周期とディスカバリ情報の送信周期との間の差及び有効時間−周波数リソースの事前設定継続時間とディスカバリ情報の送信継続時間との間の差が最小であるときには、有効時間−周波数リソースとディスカバリ情報とが互いに対応する。
【０１２５】
例えば、その事前設定周期及び事前設定継続時間がそれぞれ「1秒及び100秒」、「2秒及び500秒」、及び、「3秒及び1500秒」である3つの有効時間−周波数リソース、及び、その送信周期及び送信継続時間がそれぞれ「1．2秒及び120秒」、「2．5秒及び600秒」、及び、「3．5秒及び1800秒」であるディスカバリ情報の3つの断片では、その事前設定周期及び事前設定継続時間が「1秒及び100秒」である有効時間−周波数リソースとその送信周期及び送信継続時間が「1．2秒及び120秒」であるディスカバリ情報とが互いに対応する。これは、「1秒及び100秒」と「1．2秒及び120秒」との間の差が最小である、すなわち、「1秒及び100秒」と「1．2秒及び120秒」とが最も近いからである。
【０１２６】
（2）要求情報がディスカバリ情報の複数の断片の要求を含むときには、ディスカバリ情報の各断片に対して識別子が加えられ、また、ディスカバリ情報に割り当てられる有効時間−周波数リソースは、ディスカバリ情報と同じ識別子を有する。このようにして、同じ識別子を有するディスカバリ情報及び有効時間−周波数リソースが互いに対応し、それにより、有効時間−周波数リソースとディスカバリ情報との間の照合が達成される。
【０１２７】
ユーザプレーンプロトコルスタック構造から見ると、近接サービス層は、ディスカバリ情報をユーザ機器のMAC層へ送信し、また、その後、ディスカバリ情報は、PHY（Physical Layer、物理層）を使用することにより他の端末へ送信される。
【０１２８】
随意的に、ユーザ機器は、ディスカバリ情報の各断片と有効時間−周波数リソース中の対応するリソースとの間で照合を行ない、それにより、同じ時間−周波数リソースを同時に選択する複数のユーザ機器に起因する、不適切な時間−周波数リソース割り当て及びメッセージ送信時のエラーとを回避する。更に、随意的に、ユーザ機器は、ディスカバリ情報の各断片の事前設定周期及び事前設定継続時間に従ってディスカバリ情報を送信する。
【０１２９】
本発明のこの実施形態により提供される情報伝送方法において、時間−周波数リソースを割り当てるように要求するべく使用される要求情報は、ユーザ機器により生成されて基地局へ送信され、基地局は、要求情報に従って有効時間−周波数リソースをユーザ機器に割り当て、その後、ユーザ機器は、割り当てられた有効時間−周波数リソースを使用することによりディスカバリ情報を送信する。
基地局は時間−周波数リソースを均一に割り当て、それにより、装置間技術における不適切な時間−周波数リソース割り当ての問題が解決される。
【０１３０】
本発明の一実施形態は、無線通信システムを提供する。図9に示されるように、無線通信システム901は、少なくとも1つの基地局9011と、少なくとも1つのユーザ機器9012とを含む。
【０１３１】
ユーザ機器9012は、図1に対応する実施形態で説明されたユーザ機器であり、図5に対応する前述の実施形態で説明された情報伝送方法を実行するように構成され、基地局9011は、図2に対応する実施形態で説明された基地局であり、図6に対応する前述の実施形態で説明された情報伝送方法を実行するように構成される。
【０１３２】
或いは、ユーザ機器9012は、図3に対応する実施形態で説明されたユーザ機器であり、図5に対応する前述の実施形態で説明された情報伝送方法を実行するように構成され、基地局9011は、図4に対応する実施形態で説明された基地局であり、図6に対応する前述の実施形態で説明された情報伝送方法を実行するように構成される。
【０１３３】
本発明のこの実施形態により提供される無線通信システムにおいて、時間−周波数リソースを割り当てるように要求するべく使用される要求情報は、ユーザ機器により生成されて基地局へ送信され、基地局は、要求情報に従って有効時間−周波数リソースをユーザ機器に割り当て、その後、ユーザ機器は、割り当てられた有効時間−周波数リソースを使用することによりディスカバリ情報を送信する。基地局は時間−周波数リソースを均一に割り当て、それにより、装置間技術における不適切な時間−周波数リソース割り当ての問題が解決される。
【０１３４】
前述の実施形態の説明により、当業者は、ハードウェア、ファームウェア、又は、これらの組み合わせによって本発明を実施できることを明確に理解できる。発明がソフトウェアにより実施されるとき、前述の機能は、コンピュータ可読媒体に記憶されてもよく、或いは、コンピュータ可読媒体内の1つ以上の命令又はコードとして伝送されてもよい。コンピュータ可読媒体はコンピュータ記憶媒体及び通信媒体を含み、この場合、通信媒体は、コンピュータプログラムを1つの場所から他の場所へ伝送できるようにする任意の媒体を含む。記憶媒体は、コンピュータにアクセスできる任意の利用可能な媒体であってもよい。以下は、一例を与えるが、制限を課さない。すなわち、コンピュータ可読媒体は、RAM（Random Access Memory、ランダム・アクセス・メモリ）、ROM（Read Only Memory、リード・オンリー・メモリ）、EEPROM（Electrically Erasable Programmable Read Only Memory、電気的消去可能プログラマブル・リード・オンリー・メモリ）、CD−ROM（Compact Disc Read Only Memory、すなわち、コンパクトディスク・リード・オンリー・メモリ）、又は、他の光ディスク記憶装置、又は、ディスク記憶媒体、又は、他の磁気記憶装置、又は、予期されるプログラムコードを命令の形式又はデータ構造の形式で担持する或いは記憶するために使用され得るとともにコンピュータによりアクセスされ得る任意の他の媒体を含んでもよい。また、任意の接続がコンピュータ可読媒体として適切に規定されてもよい。例えば、ソフトウェアがウェブサイト、サーバ、又は、他の遠隔ソースから同軸ケーブル、光ファイバケーブル、ツイストペア、DSL（Digital Subscriber Line、デジタル加入者回線）、又は、赤外線や無線及びマイクロ波などの無線技術を使用することにより伝送される場合、同軸ケーブル、光ファイバケーブル、ツイストペア、DSL、又は、赤外線や無線及びマイクロ波などの無線技術は、それらが属する媒体の固定に含まれる。例えば、ディスク及び本発明により使用されるディスクは、CD（Compact Disc、コンパクトディスク）、レーザディスク、光ディスク、DVDディスク（Digital Versatile Disc、デジタル多用途ディスク）、フロッピーディスク、及び、ブルーレイディスクを含み、この場合、ディスクは、一般に、磁気手段によってデータをコピーし、また、ディスクは、レーザ手段によってデータを光学的にコピーする。前述の組み合わせもコンピュータ可読媒体の保護範囲に含まれるべきである。
【０１３５】
以上の説明は、本発明の単なる特定の実施態様にすぎず、本発明の保護範囲を限定しようとするものではない。本発明で開示される技術的範囲内で当業者により容易に考え出されるいかなる変形も置換も、本発明の保護範囲内に入るものとする。したがって、本発明の保護範囲は、特許請求項の保護範囲に従うべきものとする。
【符号の説明】
【０１３６】
101  ユーザ機器
201  基地局
301  ユーザ機器
401  基地局
901  無線通信システム
1011  取得ユニット
1012  要求ユニット
1013  送信ユニット
1014  受信ユニット
2011  受信ユニット
2012  割り当てユニット
2013  送信ユニット
3011  プロセッサ、中央処理ユニット
3012  メモリ
3013  送信器
3014  受信器
3015  バス
4011  プロセッサ、中央処理ユニット
4012  メモリ
4013  送信器
4014  受信器
4015  バス
9011  基地局
9012  ユーザ機器
【図１】
2017517931.tif 000003
【図２】
2017517931.tif 000004
【図３】
2017517931.tif 000005
【図４】
2017517931.tif 000006
【図５】
2017517931.tif 000007
【図６】
2017517931.tif 000008
【図７】
2017517931.tif 000009
【図８】
2017517931.tif 000010
【図９】
2017517931.tif 000011
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
装置間技術に適用されるユーザ機器であって、
ディスカバリ情報を取得するように構成される取得ユニットであって、前記ディスカバリ情報は、前記ユーザ機器が装置間の直接的な通信を用いて他のユーザ機器へ送信する必要がある情報である、取得ユニットと、
前記取得ユニットにより取得される前記ディスカバリ情報に従って要求情報を生成するように構成される要求ユニットであって、前記要求情報は、前記ディスカバリ情報を送信するために使用される時間−周波数リソースを前記ユーザ機器に割り当てるように基地局に要求するべく使用される、要求ユニットと、
前記要求ユニットにより生成される前記要求情報を前記基地局へ送信するように構成される送信ユニットと、
前記基地局により送信されるリソース情報を受信するように構成される受信ユニットであって、前記リソース情報が有効時間−周波数リソースを含み、前記有効時間−周波数リソースは、前記基地局により前記ユーザ機器に対して割り当てられるとともに前記ディスカバリ情報を送信するために使用される時間−周波数リソースである、受信ユニットと、
を備え、
前記送信ユニットは、前記受信ユニットにより受信される前記有効時間−周波数リソースを使用することにより前記ディスカバリ情報を前記他のユーザ機器へ送信するように更に構成される、ユーザ機器。
【請求項２】
前記要求ユニットは、前記ディスカバリ情報に従って前記ディスカバリ情報の送信周期と前記ディスカバリ情報の送信継続時間とを決定して、前記要求情報を生成するように特に構成され、前記要求情報は、前記ディスカバリ情報の前記送信周期と前記ディスカバリ情報の前記送信継続時間とを備える
請求項1に記載の装置。
【請求項３】
前記リソース情報が事前設定周期と事前設定継続時間とを更に備え、前記事前設定周期及び前記事前設定継続時間は、前記基地局により前記ユーザ機器に対して割り当てられる前記有効時間−周波数リソースにより占められる周期及び継続時間であり、
前記送信ユニットは、前記ディスカバリ情報及び前記ディスカバリ情報の前記時間−周波数リソースを照合するとともに、前記事前設定周期と前記事前設定継続時間とに従って前記ディスカバリ情報を前記他のユーザ機器へ送信するように特に構成される、
請求項2に記載の装置。
【請求項４】
前記送信ユニットは、無線リソース制御RRCメッセージ又はバッファ状態報告BSRメッセージで前記要求情報を運ぶことによって前記要求情報を前記基地局へ送信するように特に構成される
請求項1から3のいずれか一項に記載の装置。
【請求項５】
装置間技術に適用される基地局であって、
ユーザ機器により送信される要求情報を受信するように構成される受信ユニットであって、前記要求情報は、ディスカバリ情報を送信するために使用される時間−周波数リソースを前記ユーザ機器に対して割り当てるように前記基地局へ要求するべく使用され、前記ディスカバリ情報は、前記ユーザ機器が装置間の直接的な通信を用いて他のユーザ機器へ送信する必要がある情報である、受信ユニットと、
前記受信ユニットにより受信される前記要求情報に従って、前記ディスカバリ情報を送信するために使用される前記時間−周波数リソースを前記ユーザ機器に対して割り当てて、リソース情報を生成するように構成される割り当てユニットであって、前記リソース情報は有効時間−周波数リソースを備え、前記有効時間−周波数リソースは、前記基地局により前記ユーザ機器に対して割り当てられるとともに前記ディスカバリ情報を送信するために使用される時間−周波数リソースである、割り当てユニットと、
前記割り当てユニットにより生成される前記リソース情報を前記ユーザ機器へ送信するように構成される送信ユニットと、
を備える基地局。
【請求項６】
前記要求情報は、前記ディスカバリ情報の送信周期と、前記ディスカバリ情報の送信継続時間とを備え、
前記割り当てユニットは、前記ディスカバリ情報を送信するために使用される前記時間−周波数リソースを前記要求情報に従って前記ユーザ機器に割り当てて、前記ディスカバリ情報の前記送信周期と前記ディスカバリ情報の前記送信継続時間とに従って事前設定周期と事前設定継続時間とを決定するとともに、前記リソース情報を生成するように特に構成され、前記リソース情報は、前記有効時間−周波数リソース、前記事前設定周期、及び、前記事前設定継続時間を備え、前記有効時間−周波数リソースは、前記基地局により前記ユーザ機器に対して割り当てられるとともに前記ディスカバリ情報を送信するために使用される時間−周波数リソースであり、前記事前設定周期及び前記事前設定継続時間は、前記基地局により前記ユーザ機器に対して割り当てられる前記有効時間−周波数リソースによって占められる周期及び継続時間である
請求項5に記載の装置。
【請求項７】
前記送信ユニットは、前記リソース情報を無線リソース制御RRCメッセージで運ぶことにより前記リソース情報を前記ユーザ機器へ送信する、或いは、前記リソース情報を物理ダウンリンク制御チャネルPDCCHで運ぶことにより前記リソース情報を前記ユーザ機器へ送信するように特に構成される
請求項5又は請求項6に記載の装置。
【請求項８】
装置間技術に適用される情報伝送方法であって、
ユーザ機器によりディスカバリ情報を取得するステップであって、前記ディスカバリ情報は、前記ユーザ機器が装置間の直接的な通信を用いて他のユーザ機器へ送信する必要がある情報である、ステップと、
前記ディスカバリ情報に従って前記ユーザ機器により要求情報を生成するステップであって、前記要求情報は、前記ディスカバリ情報を送信するために使用される時間−周波数リソースを前記ユーザ機器に割り当てるように基地局に要求するべく使用される、ステップと、
前記ユーザ機器により前記要求情報を前記基地局へ送信するステップと、
前記基地局により送信されるリソース情報を前記ユーザ機器により受信するステップであって、前記リソース情報が有効時間−周波数リソースを備え、前記有効時間−周波数リソースは、前記基地局により前記ユーザ機器に対して割り当てられるとともに前記ディスカバリ情報を送信するために使用される時間−周波数リソースである、ステップと、
前記有効時間−周波数リソースを使用することにより前記ディスカバリ情報を前記ユーザ機器により前記他のユーザ機器へ送信するステップと、
を備える情報伝送方法。
【請求項９】
前記ディスカバリ情報に従って前記ユーザ機器により要求情報を生成する前記ステップは、
前記ユーザ機器により、前記ディスカバリ情報に従って前記ディスカバリ情報の送信周期と前記ディスカバリ情報の送信継続時間とを決定して、前記要求情報を生成するステップを備え、前記要求情報は、前記ディスカバリ情報の前記送信周期と前記ディスカバリ情報の前記送信継続時間と
を備える請求項8に記載の方法。
【請求項１０】
前記リソース情報が事前設定周期と事前設定継続時間とを更に備え、前記事前設定周期及び前記事前設定継続時間は、前記基地局により前記ユーザ機器に対して割り当てられる前記有効時間−周波数リソースにより占められる周期及び継続時間であり、
前記有効時間−周波数リソースを使用することにより前記ディスカバリ情報を前記ユーザ機器により前記他のユーザ機器へ送信する前記ステップは、
前記ユーザ機器により、前記ディスカバリ情報と前記ディスカバリ情報の前記時間−周波数リソースとの間で照合を行なって、前記事前設定周期と前記事前設定継続時間とに従って前記ディスカバリ情報を前記他のユーザ機器へ送信するステップを備える、
請求項9に記載の方法。
【請求項１１】
前記ユーザ機器により前記要求情報を前記基地局へ送信する前記ステップは、
前記ユーザ機器により、無線リソース制御RRCメッセージ又はバッファ状態報告BSRメッセージで前記要求情報を運ぶことによって前記要求情報を前記基地局へ送信するステップ
を備える請求項8から10のいずれか一項に記載の方法。
【請求項１２】
装置間技術に適用される情報伝送方法であって、
ユーザ機器により送信される要求情報を基地局により受信するステップであって、前記要求情報は、ディスカバリ情報を送信するために使用される時間−周波数リソースを前記ユーザ機器に割り当てるように前記基地局に要求するべく使用され、前記ディスカバリ情報は、前記ユーザ機器が装置間の直接的な通信を用いて他のユーザ機器へ送信する必要がある情報である、ステップと、
前記基地局により、前記要求情報に従って、前記ディスカバリ情報を送信するために使用される前記時間−周波数リソースを前記ユーザ機器に対して割り当てて、リソース情報を生成するステップであって、前記リソース情報が有効時間−周波数リソースを備え、前記有効時間−周波数リソースは、前記基地局により前記ユーザ機器に対して割り当てられるとともに前記ディスカバリ情報を送信するために使用される時間−周波数リソースである、ステップと、
前記リソース情報を前記基地局により前記ユーザ機器に送信するステップと、
を備える情報伝送方法。
【請求項１３】
前記要求情報は、前記ディスカバリ情報の送信周期と、前記ディスカバリ情報の送信継続時間とを備え、
前記基地局により、前記要求情報に従って、前記ディスカバリ情報を送信するために使用される前記時間−周波数リソースを前記ユーザ機器に対して割り当てて、リソース情報を生成する前記ステップは、
前記基地局により、前記ディスカバリ情報を送信するために使用される前記時間−周波数リソースを前記要求情報に従って前記ユーザ機器に割り当てて、前記ディスカバリ情報の前記送信周期と前記ディスカバリ情報の前記送信継続時間とに従って事前設定周期と事前設定継続時間とを決定するとともに、前記リソース情報を生成するステップを備え、前記リソース情報は、前記有効時間−周波数リソース、前記事前設定周期、及び、前記事前設定継続時間を備え、前記有効時間−周波数リソースは、前記基地局により前記ユーザ機器に対して割り当てられるとともに前記ディスカバリ情報を送信するために使用される時間−周波数リソースであり、前記事前設定周期及び前記事前設定継続時間は、前記基地局により前記ユーザ機器に対して割り当てられる前記有効時間−周波数リソースによって占められる周期及び継続時間である、
請求項12に記載の方法。
【請求項１４】
前記リソース情報を前記基地局により前記ユーザ機器に送信する前記ステップは、
前記基地局により、前記リソース情報を無線リソース制御RRCメッセージで運ぶことにより前記リソース情報を前記ユーザ機器へ送信する、或いは、前記リソース情報を物理ダウンリンク制御チャネルPDCCHで運ぶことにより前記リソース情報を前記ユーザ機器へ送信するステップ
を備える請求項12又は請求項13に記載の方法。
【請求項１５】
ユーザ機器と基地局とを備える無線通信システムであって、
前記ユーザ機器は、請求項1から4のいずれか一項に記載のユーザ機器であり、かつ、
前記基地局は、請求項5から7のいずれか一項に記載の基地局である、
無線通信システム。
【請求項１６】
プログラムが記録されて成るコンピュータ可読記憶媒体であって、前記プログラムが請求項8から14のいずれか一項に記載の方法をコンピュータに実行させる、コンピュータ可読記憶媒体。
【手続補正２】
【補正対象書類名】明細書
【補正対象項目名】００５４
【補正方法】変更
【補正の内容】
【００５４】
バス3015は、ISA（Industry Standard Architecture、業界標準アーキテクチャ）バス、PCI（Peripheral Component Interconnect、周辺構成要素相互接続）バス、EISA（Extended Industry Standard Architecture、拡張業界標準アーキテクチャ）バス等であってもよい。バス3015は、アドレスバス、データバス、制御バス等に分類されてもよい。表示を容易にするために、バスは、図3においてたった1つの太い線を使用することによって表されるが、それは、1つのバスだけ又は1つのタイプのバスだけが存在することを示さない。
【手続補正３】
【補正対象書類名】明細書
【補正対象項目名】００５５
【補正方法】変更
【補正の内容】
【００５５】
メモリ3012は、本発明の解決策を実行するアプリケーションプログラムコードを記憶するように構成される。本発明の解決策を実行するアプリケーションプログラムコードはメモリに記憶され、また、その実行はプロセッサ3011により制御される。
【手続補正４】
【補正対象書類名】明細書
【補正対象項目名】００５７
【補正方法】変更
【補正の内容】
【００５７】
プロセッサ3011は、本発明のこの実施形態を実施するように構成される中央処理ユニット（Central Processing Unit、略してCPU）、又は、特定用途向け集積回路（Application Specific Integrated Circuit、略してASIC）、又は、1つ以上の集積回路であってもよい。
【手続補正５】
【補正対象書類名】明細書
【補正対象項目名】００７１
【補正方法】変更
【補正の内容】
【００７１】
バス4015は、ISA（Industry Standard Architecture、業界標準アーキテクチャ）バス、PCI（Peripheral Component Interconnect、周辺構成要素相互接続）バス、EISA（Extended Industry Standard Architecture、拡張業界標準アーキテクチャ）バス等であってもよい。バス4015は、アドレスバス、データバス、制御バス等に分類されてもよい。表示を容易にするために、バスは、図4においてたった1つの太い線を使用することによって表されるが、それは、1つのバスだけ又は1つのタイプのバスだけが存在することを示さない。
【手続補正６】
【補正対象書類名】明細書
【補正対象項目名】００７２
【補正方法】変更
【補正の内容】
【００７２】
メモリ4012は、本発明の解決策を実行するアプリケーションプログラムコードを記憶するように構成される。本発明の解決策を実行するアプリケーションプログラムコードはメモリに記憶され、また、その実行はプロセッサ4011により制御される。
【手続補正７】
【補正対象書類名】明細書
【補正対象項目名】００７８
【補正方法】変更
【補正の内容】
【００７８】
送信器4013は、プロセッサ4011により生成されるリソース情報をユーザ機器へ送信するように構成される。
【手続補正８】
【補正対象書類名】明細書
【補正対象項目名】００９０
【補正方法】変更
【補正の内容】
【００９０】
随意的に、要求情報は、ディスカバリ情報の複数の断片の要求を含んでもよく、また、ディスカバリ情報の各断片は、異なる送信周期及び送信継続時間を有し、或いは、ディスカバリ情報の複数の断片は、同じ送信周期及び送信継続時間を有する。
【手続補正９】
【補正対象書類名】明細書
【補正対象項目名】００９４
【補正方法】変更
【補正の内容】
【００９４】
リソース情報は有効時間−周波数リソースを含み、この場合、有効時間−周波数リソースは、基地局によりユーザ機器に対して割り当てられるとともにディスカバリ情報を送信するために使用される時間−周波数リソースである。随意的に、リソース情報は、事前設定周期と、事前設定継続時間とを更に含み、この場合、事前設定周期及び事前設定継続時間は、基地局によりユーザ機器に割り当てられる有効時間−周波数リソースによって占められる周期及び継続時間である。事前設定周期は、有効時間−周波数リソースを使用することによりディスカバリ情報を送信する頻度を表し、すなわち、ディスカバリ情報が1つ周期で1回送信され、また、事前設定継続時間は、有効時間−周波数リソースを使用することにより事前設定周期に従ってディスカバリ情報が送信される時間を表す。例えば、ディスカバリ情報は、事前設定周期が1秒のときに1秒間に1回送信され、また、事前設定継続時間が500秒であることは、ディスカバリ情報が500秒にわたって連続的に1秒間に1回送信されることを表す。
【手続補正１０】
【補正対象書類名】明細書
【補正対象項目名】００９７
【補正方法】変更
【補正の内容】
【００９７】
随意的に、要求情報がディスカバリ情報の複数の断片の要求を含むときには2つの照合方法が存在する。すなわち、（1）照合は、ディスカバリ情報の送信周期と事前設定周期との間の対応と、ディスカバリ情報の送信継続時間と事前設定継続時間との間の対応とに従って行なわれる。基地局により送信されるリソース情報に含まれる事前設定周期及び事前設定継続時間は、要求情報に含まれるディスカバリ情報の送信周期及びディスカバリ情報の送信継続時間に従って生成される。有効時間−周波数リソースの事前設定周期及び事前設定継続時間がそれぞれディスカバリ情報の送信周期及びディスカバリ情報の送信継続時間と同じであれば、有効時間−周波数リソースとディスカバリ情報とが互いに対応すると決定されてもよく、或いは、有効時間−周波数リソースの事前設定周期とディスカバリ情報の送信周期との間の差及び有効時間−周波数リソースの事前設定継続時間とディスカバリ情報の送信継続時間との間の差が最小であるときには、有効時間−周波数リソースとディスカバリ情報とが互いに対応する。
【手続補正１１】
【補正対象書類名】明細書
【補正対象項目名】０１１６
【補正方法】変更
【補正の内容】
【０１１６】
随意的に、ユーザ機器のRRC層が近接サービス層の要求情報を受信した後、要求情報は、RRC確立要求メッセージで運ばれて、基地局へ送信されてもよく、或いは、要求情報は、ユーザ機器と基地局との間のRRCリンクが確立された後に基地局へ送信されてもよい。
【手続補正１２】
【補正対象書類名】明細書
【補正対象項目名】０１１７
【補正方法】変更
【補正の内容】
【０１１７】
或いは、随意的に、ユーザ機器と基地局との間のRRCリンクが確立された後、RRCリンクは接続された状態のままであり、また、要求情報がMAC（Media Access Control、媒体アクセス制御）層へ送信される。この場合、要求情報は、BSR（Buffer Status Report、バッファ状態報告）メッセージで運ばれて、基地局へ送信されてもよい。
【手続補正１３】
【補正対象書類名】明細書
【補正対象項目名】０１２４
【補正方法】変更
【補正の内容】
【０１２４】
随意的に、要求情報がディスカバリ情報の複数の断片の要求を含むときには2つの照合方法が存在する。すなわち、（1）照合は、送信周期と事前設定周期との間の対応と、送信継続時間と事前設定継続時間との間の対応とに従って行なわれる。基地局により送信されるリソース情報に含まれる事前設定周期及び事前設定継続時間は、要求情報に含まれる送信周期及び送信継続時間に従って生成される。有効時間−周波数リソースの事前設定周期及び事前設定継続時間がそれぞれディスカバリ情報の送信周期及びディスカバリ情報の送信継続時間と同じであれば、有効時間−周波数リソースとディスカバリ情報とが互いに対応すると決定されてもよく、或いは、有効時間−周波数リソースの事前設定周期とディスカバリ情報の送信周期との間の差及び有効時間−周波数リソースの事前設定継続時間とディスカバリ情報の送信継続時間との間の差が最小であるときには、有効時間−周波数リソースとディスカバリ情報とが互いに対応する。
【国際調査報告】
2017517931.tif 000012
2017517931.tif 000013
2017517931.tif 000014
2017517931.tif 000015